(57)【要約】【課題】美容効果を得ることのできる耳飾りを提供する。【解決手段】耳飾り（１）は、耳たぶを挟み込むようにして装着する。耳飾り（１）は、耳の後面において、翳風のつぼに当接する後面当接部（２）と、耳の内面において、内分泌のつぼに当接する内面当接部（３）と、後面当接部（２）および内面当接部（３）を連結する連結部（４）とを備える。【選択図】図１
0003233756.tif 000002
【実用新案登録請求の範囲】
【請求項１】
耳たぶを挟み込むようにして装着する耳飾りであって、
耳の後面において、翳風のつぼに当接する後面当接部と、
耳の内面において、内分泌のつぼに当接する内面当接部と、
前記後面当接部および前記内面当接部を連結する連結部とを備える、耳飾り。
【請求項２】
前記連結部に取り付けられた装飾部をさらに備える、請求項１に記載の耳飾り。
【請求項３】
前記連結部は略Ｕ字形状であり、前記後面当接部と、前記内面当接部とを互いに近づけるように付勢するばね性を有している、請求項１または２に記載の耳飾り。
【請求項４】
前記後面当接部および前記内面当接部はそれぞれ、球体であり、
前記後面当接部の球体の体積は、前記内面当接部の球体の体積よりも大きい、請求項１〜３のいずれかに記載の耳飾り。
【考案の詳細な説明】
【技術分野】
【０００１】
本考案は、耳周りのつぼを刺激する耳飾りに関する。
【背景技術】
【０００２】
耳周りのつぼを刺激する耳飾りとして、たとえば特開２０２１−６５６９４号公報（特許文献１）が挙げられる。特許文献１は耳の後面に位置し、頬や目尻を持ち上げる効果を有する翳風というつぼを刺激する耳装着具を開示している。
【先行技術文献】
【特許文献】
【０００３】
【特許文献１】特開２０２１−６５６９４号公報
【考案の概要】
【考案が解決しようとする課題】
【０００４】
特許文献１に開示された耳装着具は、耳周りに幾つもあるつぼの中の１つである翳風を刺激するものである。しかしながら、つぼを１つだけ刺激するのではなく、同時に複数のつぼを刺激することで、更なる美容効果を得たいという要望があった。
【０００５】
本考案は、美容効果を得ることのできる耳飾りを提供することを目的とする。
【課題を解決するための手段】
【０００６】
本考案に係る耳飾りは、耳たぶを挟み込むようにして装着する。耳飾りは、耳の後面において、翳風のつぼに当接する後面当接部と、耳の内面において、内分泌のつぼに当接する内面当接部と、後面当接部および内面当接部を連結する連結部とを備える。
【０００７】
好ましくは、連結部に取り付けられた装飾部をさらに備える。
【０００８】
好ましくは、連結部は略Ｕ字形状であり、後面当接部と、内面当接部とを互いに近づけるように付勢するばね性を有している。
【０００９】
好ましくは、後面当接部および内面当接部はそれぞれ、球体であり、後面当接部の球体の体積は、内面当接部の球体の体積よりも大きい。
【考案の効果】
【００１０】
本考案の耳飾りによれば、耳周りにあるつぼである翳風および内分泌を同時に刺激することで、更なる美容効果を得ることができる。
【図面の簡単な説明】
【００１１】
【図１】本考案に係る耳飾りの模式図である。
【図２】本考案に係る耳飾りの使用状態を示す説明図である。
【図３】本考案に係る耳飾りに関するつぼの位置を示す説明図である。
【考案を実施するための形態】
【００１２】
本考案の実施の形態について、図面を参照しながら詳細に説明する。なお、図中同一または相当部分には同一符号を付してその説明は繰り返さない。
【００１３】
図１〜３を参照して、本考案に係る耳飾り１について説明する。本考案に係る耳飾り１は、耳たぶを挟み込むようにして装着する。耳飾り１は、後面当接部２と、内面当接部３と、連結部４とを備える。
【００１４】
図２を参照して、後面当接部２は、耳の後面において、翳風のつぼに当接する。図３を参照して、翳風は、耳たぶの後面にある窪みにおいて耳下腺リンパ節付近に位置するつぼであり、刺激することで顔のリンパの流れを促進し、顔のむくみ解消や、頬のリフトアップに寄与するつぼである。後面当接部２は、典型的には直径１５〜８ｍｍの球体であるが、耳への装着し易さの観点から直径１２ｍｍ〜８ｍｍの球体であることが好ましく、より好ましくは直径１０ｍｍの球体である。なお、後面当接部２の形状は翳風のつぼに当接できればよく、断面視楕円形状であってもよい。
【００１５】
図２を参照して、内面当接部３は、耳の内面において、内分泌のつぼに当接する。図３を参照して、内分泌は、耳の内面にある窪みの底部に位置するつぼであり、刺激することで新陳代謝の促進に寄与するつぼである。本実施の形態の内面当接部３は、典型的には直径８ｍｍ〜３ｍｍの球体であるが、耳への装着し易さの観点から直径６〜３ｍｍの球体であることが好ましく、より好ましくは直径５ｍｍの球体である。なお、内面当接部３の形状は内分泌のつぼに当接できればよく、断面視楕円形状であってもよい。
【００１６】
本実施の形態の後面当接部２および内面当接部３はそれぞれ、球体であり、後面当接部２の球体の体積は、内面当接部３の球体の体積よりも大きい。体積比は、典型的には後面当接部：内面当接部＝８：７〜１５：７であるが、耳への装着し易さの観点から後面当接部：内面当接部＝４：１〜４：３が好ましく、各つぼを適切に刺激する観点から、２：１であることがより好ましい。これにより、翳風および内分泌のつぼに確実に当接でき、美容効果を促進することができる。
【００１７】
後面当接部２および内面当接部３は、肌を傷つけない観点から、当接する部分はなめらかな面であることが好ましいが、つぼをさらに強く刺激したい場合は凹凸を有していてもよい。また、意匠性向上の観点から、各部材はたとえばパールなどの装飾部材で構成されていてもよいし、略透明な部材で構成されていてもよい。
【００１８】
本実施の形態に係る耳飾り１は、翳風および内分泌を同時に刺激することで、翳風のみを刺激する場合に比して、リンパの流れをさらに促進することができる。すなわち、２つのつぼを同時に刺激することで、さらに頬のリフトアップ効果を得ることができる。
【００１９】
また、耳飾り１の装着時、後面当接部２は耳たぶを軽く持ち上げている。これにより、咀嚼筋をほぐし、筋肉のこわばりを弛緩することができるため、頬のリフトアップ効果をさらに高めることができる。すなわち、本実施の形態の耳飾り１は、後面当接部２および内面当接部３が各つぼを刺激しつつ、後面当接部３が耳たぶを持ち上げることで、各々の構成の効果が相乗的に作用し、美容効果をさらに高めることができる。
【００２０】
図１，２に示すように、連結部４は、後面当接部２および内面当接部３を連結する。本実施の形態における連結部４は、略Ｕ字形状であるが、連結部４は後面当接部２および内面当接部３を連結する形状であればよく、その形状については特に限定されない。すなわち、円形状であってもよいし、多角形状であってもよい。また、複数の部材で構成されていてもよい。
【００２１】
本実施の形態に係る耳飾り１の連結部４は、チタンなどの金属製ワイヤで形成されたものであり、後面当接部２と、内面当接部３とを互いに近づけるように付勢するばね性を有している。このように、本実施の形態に係る耳飾り１は、一般的なイヤリングが備える留め具などで締め付けないため、適度に軽い圧迫感でつぼを刺激することができる。また、本実施の形態の耳飾り１は、内面当接部３が耳の窪みに引っかかるように装着されるため、軽い圧迫感でありながら耳飾り１を耳から落ちにくくすることができるし、着脱も容易である。
【００２２】
本実施の形態に係る耳飾り１は、連結部４に取り付けられた装飾部５をさらに備える。本実施の形態では、装飾部５がパール様部材である場合を例示的に図示したが、意匠性を向上するものであればよく、その材料、形状および個数については限定されない。
【００２３】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００２４】
本考案に係る耳飾りは、翳風および内分泌を同時に刺激することで、更なる美容効果を得るように利用される。
【符号の説明】
【００２５】
１  耳飾り、２  後面当接部、３  内面当接部、４  連結部、５  装飾部。
【図１】
0003233756.tif 000003
【図２】
0003233756.tif 000004
【図３】
0003233756.tif 000005